(57)【要約】【課題】特に複雑な演算を実行することなく、コンテンツデータに基づき表示される表示画像に関して適切なスクロールを行うことができる表示装置を提供する。【解決手段】本発明に係る通信端末１は、コンテンツ１５からスクロール量情報を読み出し、表示画像におけるスクロール量を決定するスクロール量決定部２３を備え、表示内容の移動を指示する指示情報を受け付けた場合、決定されたスクロール量だけ表示画像の表示内容を移動させて表示させる。【選択図】図１
2008242096.tif 000002
【特許請求の範囲】
【請求項１】
コンテンツデータに基づく表示画像の表示を行う表示装置において、
上記コンテンツデータには、上記表示画像について表示領域内で表示しきれない部分を表示するように、該表示画像の表示内容を移動させる移動量であるスクロール量を規定するスクロール量情報が含まれており、
上記コンテンツデータから上記スクロール量情報を読み出し、上記表示画像におけるスクロール量を決定するスクロール量決定手段を備え、
表示画像の表示内容の移動を指示する指示情報を受け付けた場合、上記スクロール量決定手段によって決定されたスクロール量だけ表示画像の表示内容を移動させて表示することを特徴とする表示装置。
【請求項２】
上記スクロール量情報には表示領域内に表示した表示画像の範囲に応じて上記スクロール量が割り当てられており、
上記表示領域で表示する上記表示画像の範囲を特定する特定手段を備え、
上記スクロール量決定手段は、上記特定手段によって特定された表示画像の範囲に基づき、スクロール量を決定することを特徴とする請求項１に記載の表示装置。
【請求項３】
上記特定手段は、上記表示領域内における所定の位置を基準点とし、この基準点に対応する表示画像上の位置を求めることにより上記表示領域内に表示した上記表示画像の範囲を特定することを特徴とする請求項２に記載の表示装置。
【請求項４】
当該表示装置に情報を入力するための入力部によって指し示す位置または方向等の情報を表すカーソルを、上記表示領域内において上記表示画像に重畳させて表示させるカーソル表示手段を備え、
上記基準点が、上記カーソル表示手段によって表示された表示領域内におけるカーソルの位置であることを特徴とする請求項３に記載の表示装置。
【請求項５】
上記入力部が、静電パッドであることを特徴とする請求項４に記載の表示装置。
【請求項６】
上記スクロール量情報は、上記表示領域における横軸および縦軸それぞれの方向についての上記スクロール量が記述された情報であることを特徴とする請求項１〜５のいずれか１項に記載の表示装置。
【請求項７】
当該表示装置が、携帯型通信端末であることを特徴とする請求項１〜６に記載の表示装置。
【請求項８】
コンテンツデータに基づく表示画像の表示を行う表示装置の制御方法において、
上記コンテンツデータには、上記表示画像について表示領域内で表示しきれない部分を表示するように、該表示画像の表示内容を移動させる移動量であるスクロール量を規定するスクロール量情報が含まれており、
上記コンテンツデータから上記スクロール量情報を読み出し、上記表示画像におけるスクロール量を決定するステップと、
表示画像の表示内容の移動を指示する指示情報を受け付けた場合、上記スクロール量を決定するステップによって決定されたスクロール量だけ表示画像の表示内容を移動させて表示するステップと、を含むことを特徴とする表示装置の制御方法。
【請求項９】
請求項１から７のいずれか１項に記載の表示装置を動作させるための制御プログラムであって、コンピュータを上記の各手段として機能させるための表示装置の制御プログラム。
【請求項１０】
請求項９に記載の表示装置の制御プログラムを記録したコンピュータ読み取り可能な記録媒体。
【発明の詳細な説明】
【技術分野】
【０００１】
本発明は、コンテンツデータに基づく表示画像の表示を行う表示装置、表示装置の制御方法、表示装置の制御プログラム、および表示装置の制御プログラムを記録した記録媒体に関するものである。
【背景技術】
【０００２】
近年、携帯電話機等の携帯端末に関して様々なサービスが提供されるようになっている。そして、このサービスの普及に伴い、携帯端末では、表示データとして、画像データまたはテキストデータを含むコンテンツをダウンロードする機会が増加している。ところで、コンテンツをダウンロードし、携帯端末の表示画面上で視聴する際、このコンテンツの表示範囲よりも表示画面範囲の方が小さく、コンテンツ全体を一度に表示しきれないケースがある。
【０００３】
このようなケースでは、通常、携帯端末の利用者が、その携帯端末が備える操作部を操作し、画面内に表示しきれない部分を表示させるように、表示内容を上下左右に移動させる、いわゆるスクロールを実行する。
【０００４】
ところでこのようなスクロールを実行する場合、表示内容を適切な移動量で移動できるように設定されていることが好ましい。例えば、特許文献１ではスクロール時におけるスクロール量を操作者により予め選択設定することができる表示装置が開示されている。また、特許文献２では、表示データに基づきスクロール回数やスクロール間隔を算出することができる表示装置が開示されている。また、特許文献３では、選択する項目に対する過去の選択回数に応じて該項目の表示におけるスクロール量を決定するスクロール制御装置が開示されている。
【特許文献１】特開２００２−３１２０９４号公報（２００２年１０月２５日公開）
【特許文献２】特開２００５−１５６６２６号公報（２００５年０６月１６日公開）
【特許文献３】特開２００６−１１６９０号公報（２００６年０１月１２日公開）
【発明の開示】
【発明が解決しようとする課題】
【０００５】
しかしながら、上記従来の構成では、複雑な演算処理することなく、コンテンツの表示において適切な表示状態でスクロールを実行させることができないという問題が生じる。
【０００６】
具体的には、特許文献１に示す表示装置では、スクロール量を表示装置側で予め決定しておく構成であるため、コンテンツの表示範囲のサイズが大きくなるにつれスクロールする回数が増大することなる。このため、コンテンツの表示において適切な表示状態でスクロールを実行することができないという問題が生じる。
【０００７】
また、特許文献２に示す表示装置では、例えば外部から表示データをダウンロードして表示させるたびに適切なスクロール回数やスクロール間隔を演算する必要があり、表示データの表示処理を実行させるにあたり必要となる演算等の処理量が増大するという問題が生じる。
【０００８】
特許文献３に示すスクロール制御装置では、項目の、過去の選択回数に応じてスクロール量を決定する構成である。このため、例えば、選択回数が多い項目についての表示部分では、スクロール量を大きくしスクロール時における表示時間を短くすることができる。しかしながら、選択回数が多い項目であるからと言って必ずしもスクロール量を増大させ、スクロール時におけるその項目の表示時間を短くすることが好ましいとは言えない。つまり、項目の選択数の多数とスクロール時における、この項目の表示時間の大小とは必ずしも相関関係にあるものではないからである。このため、特許文献３に示すスクロール制御装置は、コンテンツの表示において適切な表示状態でスクロールを実行することができないという問題が生じる。
【０００９】
本発明は、上記の問題点に鑑みてなされたものであり、その目的は、特に複雑な演算を実行することなく、コンテンツデータに基づき表示される表示画像に関して適切なスクロールを行うことができる表示装置、表示装置の制御方法、表示装置の制御プログラム、および表示装置の制御プログラムを記録した記録媒体を実現することにある。
【課題を解決するための手段】
【００１０】
本発明に係る表示装置は、上記した課題を解決するために、コンテンツデータに基づく表示画像の表示を行う表示装置において、上記コンテンツデータには、上記表示画像について表示領域内で表示しきれない部分を表示するように、該表示画像の表示内容を移動させる移動量であるスクロール量を規定するスクロール量情報が含まれており、上記コンテンツデータから上記スクロール量情報を読み出し、上記表示画像におけるスクロール量を決定するスクロール量決定手段を備え、表示画像の表示内容の移動を指示する指示情報を受け付けた場合、上記スクロール量決定手段によって決定されたスクロール量だけ表示画像の表示内容を移動させて表示させることを特徴とする。
【００１１】
上記構成によると、スクロール量決定手段を備えているため、コンテンツデータにスクロール量情報が含められている場合、このスクロール量情報を読み出し、コンテンツデータに基づき表示される表示画像におけるスクロール量を決定することができる。
【００１２】
このように、本発明に係る表示装置は、特に複雑な演算を実行することなくスクロール量を決定することができ、コンテンツデータに基づく表示画像の表示処理を容易とすることができる。
【００１３】
さらにまた、決定したスクロール量は、コンテンツデータに含まれているスクロール量情報に基づき得られる値である。つまりこの決定したスクロール量とはコンテンツデータの製作者が所望する表示状態を実現するスクロール量であるといえる。
【００１４】
このため、本発明に係る表示装置では、コンテンツデータの製作者が見せたい表示状態で表示画像のスクロールを実行することができる。
【００１５】
よって、本発明に係る表示装置は、特に複雑な演算を実行することなく、コンテンツデータに基づき表示される表示画像に関して適切なスクロールを行うことができるという効果を奏する。
【００１６】
また、本発明に係る表示装置は、上記した構成において、上記スクロール量情報には表示領域内に表示した表示画像の範囲に応じて上記スクロール量が割り当てられており、上記表示領域で表示する上記表示画像の範囲を特定する特定手段を備え、上記スクロール量決定手段は、上記特定手段によって特定された表示画像の範囲に基づき、スクロール量を決定するように構成されていることが好ましい。
【００１７】
上記構成によると、上記特定手段を備えているため、表示領域に表示させている表示画像の範囲を特定することができる。このため、上記スクロール量情報として、上記表示画像の表示領域で表示する範囲ごとに上記スクロール量が割り当てられている場合、各範囲でのスクロール量を決定することができる。
【００１８】
したがって、本発明に係る表示装置は、表示画像における表示範囲ごとに表示内容をスクロールするスクロール量が割り当てられている場合であっても適切にスクロール量を決定しスクロールさせて表示することができる。
【００１９】
また、本発明に係る表示装置は、上記した構成において、上記特定手段は、上記表示領域内における所定の位置を基準点とし、この基準点に対応する表示画像上の位置を求めることにより上記表示領域内に表示した上記表示画像の範囲を特定するように構成されていてもよい。
【００２０】
ところで、当該表示装置における上記表示領域の範囲は決められている。このため、上記表示領域において基準となる１点、すなわち基準点を設け、この基準点が表示画像のどの位置に対応しているかを把握することにより表示領域内に表示する表示画像範囲を容易に決定することができる。
【００２１】
このため、スクロールにより表示領域において表示する表示画像範囲が変更された場合であっても、基準点の移動状態、すなわちスクロール後における基準点が対応する表示画像上の位置を把握するだけで、スクロール後に表示領域に表示する表示画像範囲を容易に特定することができる。
【００２２】
また、本発明に係る表示装置は、上記した構成において、当該表示装置に情報を入力するための入力部によって指し示す位置または方向等の情報を表すカーソルを、上記表示領域内において上記表示画像に重畳させて表示させるカーソル表示手段を備え、上記基準点が、上記カーソル表示手段によって表示された表示領域内におけるカーソルの位置であることが好ましい。
【００２３】
上記構成によると、カーソル表示手段を備えるため、表示領域において表示画像とともに上記カーソルを表示し、このカーソルによって表示画像のスクロール方向等を指示することができる。
【００２４】
さらにまた、このカーソルの表示領域内における位置を上記基準点とすることができるため、スクロール後に表示領域に表示する表示画像範囲を容易に特定することができる。
【００２５】
また、本発明に係る表示装置は、上記した構成において、上記入力部が、静電パッドであってもよい。入力部が静電パッドである場合、利用者がスクロールさせたい表示内容の方向を感覚的に指示することができる。
【００２６】
また、本発明に係る表示装置は、上記した構成において、上記スクロール量情報は、上記表示領域における横軸および縦軸それぞれの方向についての上記スクロール量が記述された情報であることが好ましい。
【００２７】
上記構成によると、上記スクロール量情報とは、表示領域における横軸および縦軸それぞれの方向についてスクロール量を記述した情報であるため、表示領域における横軸および縦軸方向にスクロールする場合の両者においてそれぞれスクロール量を決定することができる。
【００２８】
また、本発明に係る表示装置は、上記した構成において、当該表示装置が、携帯型通信端末であってもよい。
【００２９】
上記携帯型通信端末とは、例えば携帯型電話機、ＰＤＡ（personal digital assistance）等である。このような装置では、携帯しやすいように小型化が図られているため複雑な演算処理を実行できるような、構成の大きな処理装置を備えることは好ましくない。
【００３０】
ところで、上述したように本発明では特に複雑な演算処理を行うことなく適切なスクロールを行うことができる。それ故、本発明に係る表示装置を上述した携帯型通信端末として利用することは特に有利である。
【００３１】
本発明に係る表示装置の制御方法は、上記した課題を解決するために、コンテンツデータに基づく表示画像の表示を行う表示装置の制御方法において、上記コンテンツデータには、上記表示画像について表示領域内で表示しきれない部分を表示するように、該表示画像の表示内容を移動させる移動量であるスクロール量を規定するスクロール量情報が含まれており、上記コンテンツデータから上記スクロール量情報を読み出し、上記表示画像におけるスクロール量を決定するステップと、表示画像の表示内容の移動を指示する指示情報を受け付けた場合、上記スクロール量を決定するステップによって決定されたスクロール量だけ表示画像の表示内容を移動させて表示するステップと、を含むことを特徴とする。
【００３２】
上記方法では、スクロール量を決定するステップを含むため、コンテンツデータにスクロール量情報が含められている場合、このスクロール量情報を読み出し、コンテンツデータに基づき表示される表示画像におけるスクロール量を決定することができる。
【００３３】
また、表示内容を移動させて表示するステップを含むため、決定したスクロール量だけ表示画像の表示内容を移動させて表示することができる。
【００３４】
このように、本発明に係る表示装置の制御方法は、特に複雑な演算を実行することなくスクロール量を決定することができ、コンテンツデータに基づく表示画像の表示処理を容易とすることができる。
【００３５】
さらにまた、決定したスクロール量は、コンテンツデータに含まれているスクロール量情報に基づき得られる値である。つまりこの決定したスクロール量とはコンテンツデータの製作者が所望する表示状態を実現するスクロール量であるといえる。
【００３６】
このため、本発明に係る表示装置の制御方法では、コンテンツデータの製作者が見せたい表示状態で表示画像のスクロールを実行することができる。
【００３７】
よって、本発明に係る表示装置の制御方法は、特に複雑な演算を実行することなく、コンテンツデータに基づき表示される表示画像に関して適切なスクロールを行うことができるという効果を奏する。
【００３８】
なお、上記表示装置は、コンピュータによって実現してもよく、この場合には、コンピュータを上記各手段として動作させることにより上記表示装置をコンピュータにて実現させる表示装置の制御プログラム、およびそれを記録したコンピュータ読み取り可能な記録媒体も、本発明の範疇に入る。
【発明の効果】
【００３９】
本発明に係る表示装置は、以上のように、コンテンツデータに基づく表示画像の表示を行う表示装置において、上記コンテンツデータには、上記表示画像について表示領域内で表示しきれない部分を表示するように、該表示画像の表示内容を移動させる移動量であるスクロール量を規定するスクロール量情報が含まれており、上記コンテンツデータから上記スクロール量情報を読み出し、上記表示画像におけるスクロール量を決定するスクロール量決定手段を備え、表示画像の表示内容の移動を指示する指示情報を受け付けた場合、上記スクロール量決定手段によって決定されたスクロール量だけ表示画像の表示内容を移動させて表示させることを特徴とする。
【００４０】
よって、本発明に係る表示装置は、特に複雑な演算を実行することなく、コンテンツデータに基づき表示される表示画像に関して適切なスクロールを行うことができるという効果を奏する。
【００４１】
本発明に係る表示装置の制御方法は、上記した課題を解決するために、コンテンツデータに基づく表示画像の表示を行う表示装置の制御方法において、上記コンテンツデータには、上記表示画像について表示領域内で表示しきれない部分を表示するように、該表示画像の表示内容を移動させる移動量であるスクロール量を規定するスクロール量情報が含まれており、上記コンテンツデータから上記スクロール量情報を読み出し、上記表示画像におけるスクロール量を決定するステップと、表示画像の表示内容の移動を指示する指示情報を受け付けた場合、上記スクロール量を決定するステップによって決定されたスクロール量だけ表示画像の表示内容を移動させて表示するステップと、を含むことを特徴とする。
【００４２】
よって、本発明に係る表示装置の制御方法は、特に複雑な演算を実行することなく、コンテンツデータに基づき表示される表示画像に関して適切なスクロールを行うことができるという効果を奏する。
【発明を実施するための最良の形態】
【００４３】
本発明の一実施形態について図１ないし図１３に基づいて説明すると以下の通りである。すなわち、本実施の形態に係る通信端末（表示装置）１は、ユーザにより携行され利用できるものであり、例えば、携帯型電話機、またはＰＤＡ等により実現できる。
【００４４】
上記通信端末１は、図２に示すように、その上面に操作部（入力部）６、マイク７を、その内部に通信用アンテナ５（図２では図示せず）を有する操作本体部２と、上面にスピーカ８および表示領域９を有する表示部３、これら操作本体部２と表示部３とを接続するヒンジ部４を備えてなる構成である。なお、表示部３と操作本体部２との間は有線で結ばれており、例えば操作本体部２から出力された制御信号等を表示部３にて受け付けることができる。また、図２は、本発明の実施形態を示すものであり、通信端末１の外観の一例を示す図である。
【００４５】
上記通信端末１は、例えば他の通信装置との間で通話を行う場合、上記スピーカ８より音声を出力し、マイク７より音声を入力することができる。また、通信端末１は、操作部６により各種制御指示等を入力することができる。さらにまた、通信端末１は、表示領域９において各種のコンテンツ１５を表示させることができるように構成されている。なお、このコンテンツ（コンテンツデータ）１５は、音声や動画などのデジタルコンテンツである。
【００４６】
上記操作部６としては、例えば、テンキー６１、各種アプリケーションの起動等を指示するアプリケーションキー６２、十字キー６３、およびポインティングデバイスとして機能する静電パッド６４等が挙げられる。
【００４７】
また、上記表示領域９は、表示部３の上面部に縦と横の寸法が異なる矩形形状として設けられており、例えばＬＣＤ（Liquid Crystal Display）等によって実現することができる。
【００４８】
（通信端末のハードウェア構成）
次に、上記した回転機構を有する通信端末１のハードウェア構成の詳細について図３を参照して説明する。図３は、本発明の実施形態を示すものであり、通信端末１の要部構成を示すブロック図である。
【００４９】
図３に示すように、本実施の形態に係る通信端末１は、上記したヒンジ部４、通信用アンテナ５、操作部６、マイク７、スピーカ８、おおび表示領域９に加えて、さらに無線通信処理部１１、信号処理部１２、表示ドライバ（カーソル表示手段）１３、およびコンテンツ記憶装置１４、および主制御部１６を備えてなる構成である。
【００５０】
ここで、コンテンツ記憶装置１４は、外部から取得したコンテンツ１５、あるいは初期状態において予め登録されたコンテンツ１５を記憶する読み書き可能な記憶装置であり、例えば、フラッシュメモリ、ハードディスク等によって実現することができる。
【００５１】
上記主制御部１６は、通信端末１が備える各部を制御するものであり、例えばＣＰＵ等によって実現することができる。ここで、上記主制御部１６が例えば、ＣＰＵ等によって実現される場合、該ＣＰＵが、不図示のＲＯＭ等に記憶しているシステムプログラムを不図示のＲＡＭ等に読み出し実行することにより、当該通信端末１が有する各部を制御することができる。
【００５２】
そして、このように構成された通信端末１では、以下のようにして、通話機能、およびコンテンツ表示機能などを実行することができる。
【００５３】
まず、通信端末１では、無線通信処理部１１による送受信制御のもとに、通信用アンテナ５を介して基地局（不図示）との信号の送受信を行い、信号処理部１２が送受信される信号に対して所定の信号処理を施す。これによって、通信端末１では、基地局を介して相手側装置から送信されてくる音声をスピーカ８から出力したり、マイク７から入力される音声を、基地局を介して相手側装置に送信したりする、いわゆる通話機能が実現されている。
【００５４】
また、上記通信端末１では、上記通信用アンテナ５を介して基地局との信号の送受信を行い、該基地局と通信可能に接続されたサーバ等からコンテンツ１５を受信することもできる（コンテンツ取得機能）。この通信端末１は、無線通信処理部１１による送受信制御のもと、通信用アンテナ５を介して基地局を介してコンテンツ１５を受信する。そして、主制御部１６からの制御の下、この受信したコンテンツ１５をコンテンツ記憶装置１４に記憶する。
【００５５】
さらにまた、通信端末１では、操作部６から入力されたユーザからの指示に応じて、主制御部１６がコンテンツ記憶装置１４からコンテンツ１５を読み出し、表示ドライバ１３を制御して表示領域９に表示させることもできる（コンテンツ表示機能）。
【００５６】
また、コンテンツ１５に基づく画像を表示領域９に表示した状態で、その表示画面上に表示されているポインタを操作部６からの指示により移動させ、その移動に応じて表示内容を左右または上下に移動させる、いわゆるスクロールを行うことができるようになっている。これにより、コンテンツ１５に基づき表示する画像の表示範囲（表示画像範囲）が、表示領域９が表示可能な範囲（表示領域９における表示範囲）よりも大きい場合であっても、通信端末１では未表示部分を表示させることができる（スクロール表示処理機能）。
【００５７】
なお、この表示領域９におけるスクロール表示処理についての詳細は後述する。
【００５８】
また、通信端末１が有する機能は、上述した通話機能、コンテンツ表示機能、およびスクロール表示処理機能に限定されるものではなく、デジタルテレビ受信用のアンテナおよびチューナを備え、テレビ受信機能を実現する構成であってもよい。さらにまたＣＣＤ（charge coupled device）やＣＭＯＳによって構成された撮像部をさらに備え、画像を撮影するカメラ機能を実現してもよい。
【００５９】
（スクロール表示処理）
次に、図１を参照してスクロール表示処理を実行する通信端末１のソフトウェア構成に
ついて説明する。
【００６０】
まず、本実施の形態に係る通信端末１では、図４に示すようにコンテンツ１５の表示内容を操作部６から入力された操作指示に応じてスクロールすることができるように構成されている。より具体的には、以下のように操作部６における静電パッド６４の操作と連動して表示内容を移動させることができる。
【００６１】
すなわち、表示領域９の端部（図４では表示領域９の左側面に接した位置）にポインタが表示されている状態で、通信端末１の利用者が静電パッド６４に指を押し当て、ｘ軸方向に、図４における右側から左側に、すなわち上記端部の方向に、該指を１回移動させたとする。この操作に応じて、表示領域９における表示内容（「あ」）がｘ軸方向に、図４における左側から右側に移動する。
【００６２】
なお、上記ｘ軸は、矩形形状をした表示領域９における横軸であり、ｙ軸方向は、矩形形状した表示領域９における縦軸に相当する。また、図４は、本発明の実施形態を示すものであり、スクロール表示処理の一例を説明する図である。
【００６３】
ところで、本実施の形態に係る通信端末１では、この静電パッド６４における利用者の一操作、より正確には、ｘまたはｙ軸方向に移動させる指の静電パッド６４との所定接触時間に対する、表示内容のスクロール量が、コンテンツ１５ごとに規定されている。
【００６４】
より具体的には、図５に示すように、コンテンツ１５内には、利用者による一操作に対し、ｘ軸方向およびｙ軸方向にどれだけ表示内容を移動させるか規定する値（ピクセル値）がＸＭＬ形式で記述されている。例えば、この図５の例では、利用者の一操作に対するスクロール量として、ｘ軸方向への操作の場合は、１０ピクセル、ｙ軸方向への操作の場合は、１５ピクセルそれぞれ表示内容を移動させる情報がコンテンツ１５に含まれている。この図５は、本実施の形態に係る通信端末１が利用するコンテンツ１５に記述されたスクロール量の一例を示す図である。
【００６５】
なお、このスクロール量の設定は、例えばコンテンツ１５の作成時に、該コンテンツ１５の作成者によって行われる。このため、コンテンツ作成者は、該コンテンツ１５の表示を所望する表示態様で表示できるように設定することができる。
【００６６】
つまり、図６に示すように、設定するスクロール量を変更すると、スクロール量が大きい場合と小さい場合とでは、移動後の表示内容の状態が異なることとなる。このため、コンテンツ１５を視聴する視聴者がこの表示内容から受ける印象が大きく異なることとなる。したがって、コンテンツ１５の表示内容をユーザからの一操作に対してどれだけ移動させるかという点は、このコンテンツ１５の作成者にとって重要な要素となる。
【００６７】
なお、図６は、本実施の形態に係る通信端末１の表示部３にて表示する表示内容のスクロール前および後の表示の一例を示すものであり、表示内容の移動が小さくなる場合と、その移動よりも大きくなる場合とのそれぞれの表示例を示す。
【００６８】
次に、上記のようにスクロール量が埋め込まれたコンテンツ１５からこのスクロール量を読み出し、スクロール表示処理を実行する通信端末１のソフトウェア構成について図１を参照して下記に説明する。
【００６９】
（スクロール表示処理に関する通信端末のソフトウェア構成１）
図１は、本発明の実施形態を示すものであり、スクロール表示処理に関する通信端末１のソフトウェア構成を示すブロック図である。この図１に示すように、通信端末１は、機能ブロックとして操作指示受付部２１、ポインタ表示管理部（カーソル表示手段）２２、およびスクロール量決定部２３を備えてなる構成である。なお、ポインタ表示管理部２２と表示ドライバ１３とによって、本発明のカーソル表示手段を実現する。
【００７０】
上記操作指示受付部２１は、静電パッド６４から入力された利用者による操作指示を受け付け、この操作指示内容を把握するものである。例えば、静電パッド６４から、利用者がｙ軸方向に上から下に向かって押圧した指を移動させた場合、操作指示受付部２１はその動きを検知する。そして、その動きに応じた、ポインタの移動方向に関する情報を把握する。この移動方向に関する情報とは、例えば上述の例では、表示領域９においてy軸方向に上から下に向かってポインタの表示位置を移動させるといった情報となる。
【００７１】
操作指示受付部２１は、ポインタの移動状態に関する情報を把握すると、利用者からの操作指示内容をポインタ表示管理部２２に通知する。
【００７２】
ポインタ表示管理部２２は、表示部３の表示領域９のどこにポインタが位置しているのか、ポインタの表示位置を管理するものでもある。ポインタ表示管理部２２は、操作指示受付部２１からポインタの移動に関する情報の通知を受信すると、この情報によって示された方向に向かって、ポインタの表示位置を移動させる。なお、静電パッド６４から利用者からの入力を継続して受けた場合、その入力に応じたポインタの表示位置を移動させる。このポインタの表示位置の移動は、利用者からの上記入力が継続する限り表示領域９の端部に到達するまで実行される。また、利用者からの入力に応じて移動する、ポインタの表示位置の移動量は初期設定により予め決定されている。
【００７３】
ポインタ表示管理部２２は、ポインタの表示位置が表示領域９における端部まで移動すると、表示領域９で表示する表示内容のスクロールを開始するように判断する。そして、ポインタの表示位置が表示領域９における端部に位置する状態でさらに利用者からの操作入力を受け付けると、ポインタ表示管理部２２は、スクロール量決定部（スクロール量決定手段）２３に、表示内容に関するスクロール量を決定するように指示する。ポインタ表示管理部２２は、この指示を送信する際、ポインタの移動方向に関する情報も通知する。
【００７４】
上記スクロール量決定部２３は、コンテンツ１５に基づく表示内容をスクロールする際に、そのスクロール量を決定するものである。スクロール量決定部２３は、ポインタ表示管理部２２からスクロール量を決定する旨の指示を受けると、コンテンツ１５を読み出し、このコンテンツ１５に含まれるスクロール量に関する情報を取得する。
【００７５】
ここで取得するスクロール量に関する情報とは、上述したように利用者による一操作に対して表示内容を移動させる量（ピクセル値）である。そこで、スクロール量決定部２３は、この取得したスクロール量でコンテンツ１５の表示内容を移動させて表示するように表示ドライバ１３に指示して表示部３で表示させる。
【００７６】
（スクロール表示処理の処理フロー１）
次に、上記したソフトウェア構成を有する通信端末１における、「スクロール表示処理」の処理フローについて図７を参照して以下に説明する。図７は、本発明の実施形態を示すものであり、通信端末１によるスクロール表示処理の処理フローを示すフローチャートである。
【００７７】
まず、前提として通信端末１は、コンテンツ１５をコンテンツ記憶装置１４に保持しており、このコンテンツ１５に基づく表示を行っているものとする。
【００７８】
このような前提において、通信端末１では、操作指示受付部２１が、静電パッド６４から入力された、表示内容の移動を所望する利用者による操作指示を受け付けたとする（ステップＳ１１、これ以降ではＳ１１と称する）。
【００７９】
この利用者からの操作指示に応じて、ポインタ表示管理部２２は、表示領域９におけるポインタの表示位置を、該利用者が所望する方向に移動させ、このポインタを表示するように表示ドライバ１３に指示する。この指示によりポインタが表示領域９において利用者が所望する方向に移動する（Ｓ１２）。
【００８０】
ここで、利用者からの操作指示の入力が継続され、ポインタの表示領域９における表示位置が、利用者が表示を所望する表示内容が存在する方向の端部に達する。そして、さらに利用者からの操作指示を受け付けると（Ｓ１３において「ＹＥＳ」）、ポインタ表示管理部２２は、スクロール量決定部２３に対して、コンテンツ１５において設定されているスクロール量を決定するようにスクロール量決定部２３に指示する。この指示に応じて、スクロール量決定部２３は、表示しているコンテンツ１５を解析し、該コンテンツ１５において設定されている、利用者の一操作ごとのスクロール量を決定する（Ｓ１４）。
【００８１】
スクロール量決定部２３は、決定したスクロール量でコンテンツ１５の表示内容を移動させて表示させる（Ｓ１５）。すなわち、スクロール量決定部２３は、決定したスクロール量でコンテンツ１５の表示内容を移動させて表示させるように表示ドライバ１３に指示するとともに、コンテンツ１５の表示させる部分の画像データを出力する。
【００８２】
このように本実施の形態に係る通信端末１は、利用者からの操作指示の入力が継続する間（Ｓ１６において「ＹＥＳ」の間）、コンテンツ１５の表示内容をコンテンツ１５の表示画像範囲内で移動させる。
【００８３】
なお、利用者からの操作指示の受付がなくなる、あるいはこれ以上表示内容を移動させることができない状態になると、通信端末１ではコンテンツ１５の表示内容の移動を停止する（終了）。
【００８４】
このようにして、本実施の形態に係る通信端末１では、静電パッド６４における利用者の操作、すなわち、静電パッド６４上を移動する利用者の指の接触時間に応じて、一操作あたり上記スクロール量となるように表示内容を移動させることができる。
【００８５】
なお、上記した「スクロール表示処理」では、コンテンツ１５に記述されたスクロール量でスクロールを実行する構成であった。そして、このスクロール量は、コンテンツ１５の表示画像範囲全体において一定であった。
【００８６】
しかしながら、スクロール量は、必ずしもコンテンツ１５の表示画像範囲全体で一定である構成に限定されるものではなく、表示画像範囲における所定位置ごとにスクロール量が設定された構成とすることもできる。
【００８７】
コンテンツ１５において表示画像範囲における所定位置ごとにスクロール量が規定されている場合における、通信端末１によるスクロール処理について図８〜図１１を参照して説明する。
【００８８】
まず、図８を参照して表示画像範囲における所定範囲ごとにスクロール量が規定されている場合における、スクロール量の記述例について説明する。図８は、コンテンツ１５において、表示画像範囲における所定範囲ごとにスクロール量が規定されている場合における、スクロール量の記述例を示す図である。
【００８９】
コンテンツ１５において、表示画像範囲における所定位置ごとにスクロール量が規定されている場合、このコンテンツ１５に記述されるスクロール量は図８に示すように記述される。すなわち、まずコンテンツ１５の表示画像範囲に位置座標を設定し、この位置座標でスクロール量を設定する領域を規定する。
【００９０】
より具体的には、図８に示すように、＜ｘ-ｓｔａｒｔ ｖａｌｕｅ＝”０”＞＜／ｘ−ｓｔａｒｔ＞と、＜ｘ-ｓｔａｒｔ ｖａｌｕｅ＝”１２０”＞＜／ｘ−ｅｎｄ＞とによって、ｘ軸方向に０から１２０までの間の範囲を示す。さらに、＜ｙ-ｓｔａｒｔ ｖａｌｕｅ＝”０”＞＜／ｙ−ｓｔａｒｔ＞と、＜ｙ-ｓｔａｒｔ ｖａｌｕｅ＝”１２０”＞＜／ｙ−ｅｎｄ＞とによって、ｙ軸方向に０から１２０までの間の範囲を示す。
【００９１】
したがって、これらの記述により、表示画像範囲における座標（０,０）、（０,１２０）、（１２０,０）、（１２０,１２０）の４点によって規定された領域を指定することができる。
【００９２】
さらに、＜ｘ−ｓｃｒｏｌｌ ｖａｌｕｅ＝”１０”＞＜／ｘ−ｓｃｒｏｌｌ＞という記述によってこの規定された領域においてｘ軸方向にスクロールする場合、このスクロール量は、利用者の１操作あたり１０ピクセルとなるように設定している。
【００９３】
このように、本実施の形態に係るコンテンツ１５では、その表示画像範囲に位置座標を設定し、該座標を利用して指定した範囲におけるスクロール量を設定することができる。
【００９４】
（スクロール表示処理に関する通信端末のソフトウェア構成２）
次に、上述のようにスクロール量が記述されたコンテンツ１５からこのスクロール量を読み出し、スクロール処理を実行する通信端末１のソフトウェア構成を、「スクロール表示処理に関する通信端末のソフトウェア構成２」として図９を参照して説明する。図９は、表示画像範囲における所定位置ごとに、異なるスクロール量が規定されている場合における、スクロール処理に関する、通信端末１のソフトウェア構成を示す図である。
【００９５】
通信端末１では、図９に示すように、図１に示すソフトウェア構成１において、さらにコンテンツ位置監視部（特定手段）２４を備える構成である。また、通信端末１は、記憶装置として、表示範囲位置情報１８を記憶する表示範囲記憶装置１７をさらにまた備える。なお、図１に示すソフトウェア構成が備える各部と同じ部材には同じ符号を付し、その説明は省略する。
【００９６】
上記表示範囲記憶装置１７は、表示範囲位置情報１８を記憶する読み書き可能な記憶装置であり、例えば、フラッシュメモリ、ハードディスク等によって実現することができる。この表示範囲記憶装置１７が記憶する表示範囲位置情報１８は、後述するコンテンツ位置監視部２４によって記録される情報であり、表示領域９の、コンテンツ１５の表示画像範囲における表示範囲位置の履歴情報である。表示範囲位置情報１８に関する詳細は後述する。
【００９７】
上記コンテンツ位置監視部２４は、ポインタ表示管理部２２を介して受信した利用者からの表示内容の移動を指示する操作指示と、上記表示範囲位置情報１８とに基づき、表示領域９の、表示画像範囲における表示範囲位置を特定するものである。また、上記コンテンツ位置監視部２４は、特定した結果を上記表示範囲位置情報１８に記録するものでもある。より具体的には、コンテンツ位置監視部２４は以下のようにして表示画像範囲における表示領域９の表示範囲位置を特定し管理することができる。
【００９８】
すなわち、図１０に示すように、表示領域９における所定位置を基準点として設定する。そして、コンテンツ位置監視部２４は、この基準点がスクロールによりどれだけ移動したかを把握し、コンテンツ１５の表示画像範囲に設定した座標上で表示領域９の位置を特定する。図１０は、コンテンツ１５の表示画像範囲における表示領域９の表示範囲のｘ軸方向への移動状態の一例を示す図である。
【００９９】
例えば、コンテンツ１５においてｘ軸方向について０〜１２０ピクセルまでの範囲では利用者の一操作ごとのスクロール量を１０ピクセルとし、１２０ピクセル〜２４０ピクセルまでの範囲では上記スクロール量を２０ピクセルとして設定されているものとする。
【０１００】
そして、表示領域９の初期位置での表示範囲における基準点は０ピクセルに位置するものとする。
【０１０１】
このような前提において、利用者から図１０におけるｘ軸の左側から右側に表示範囲を移動させるように継続して操作指示を受けると、一操作ごとに、表示領域９において設定した基準点は、１０ピクセルずつ初期位置からｘ軸の右側方向に移動することとなる。そして、上記基準点が１２０ピクセルを超えて移動する場合、その移動を規定するスクロール量は２０ピクセルに変更される。
【０１０２】
つまり、コンテンツ位置監視部２４は、利用者から入力された操作指示の回数、およびその操作によって指示されている表示範囲の移動方向およびスクロール量を把握することにより、表示範囲がその初期位置から、どこまで移動したか、すなわち、表示画像範囲における表示領域９の表示範囲の位置を特定することができる。なお、スクロール量決定部２３がスクロール量を決定するたびに、決定したスクロール量についての情報をコンテンツ位置監視部２４に出力するように構成されており、これによりコンテンツ位置監視部２４は、上記スクロール量について把握することができる。
【０１０３】
より具体的には、コンテンツ位置監視部２４は、図１２に示すように、表示範囲位置情報１８として、スクロールする前の表示領域９の表示範囲位置、つまり基準点の位置座標と、スクロール量決定部２３により決定されたスクロール量で移動した場合の基準点の位置座標とを記録している。そして、この表示範囲位置情報１８を参照することにより、コンテンツ位置監視部２４は、利用者からの操作指示を受け付けた際における表示領域９の、表示画像範囲における表示範囲の位置を把握することができる。なお、この図１２は、本実施の形態に係る通信端末１が記録する表示範囲位置情報１８の一例を示すものである。
【０１０４】
このようにコンテンツ位置監視部２４が、コンテンツ１５の表示画像範囲での表示領域９の表示範囲の位置を特定すると、この特定した表示範囲の位置に関する情報をスクロール量決定部２３に通知する。
【０１０５】
スクロール量決定部２３は、このコンテンツ位置監視部２４から受信した上記通知に基づき、利用者から入力された操作指示により表示内容を移動させるスクロール量を決定する。そして、決定したスクロール量で表示内容を移動させ表示するように表示ドライバ１３に指示するとともに、決定したスクロール量の情報をコンテンツ位置監視部２４に通知する。
【０１０６】
（スクロール表示処理の処理フロー２）
次に、上記したソフトウェア構成２を有する通信端末１における、「スクロール表示処理」の処理フローについて図１１を参照して以下に説明する。図１１は、本発明の別の実施形態を示すものであり、通信端末１によるスクロール表示処理の処理フローの一例を示すフローチャートである。
【０１０７】
まず、前提条件、および利用者から操作指示を受け付け、ポインタの表示位置が表示領域９の端部に位置する状態までの処理、すなわちステップＳ２１〜Ｓ２３までの処理は図７に示す処理フローのステップＳ１１〜Ｓ１３までの処理と同様であるためその説明は省略する。
【０１０８】
つまり、ポインタの表示領域９における表示位置が、利用者が表示を所望する表示内容がある方向の端部に達し、さらに利用者からの操作指示を受け付けると（Ｓ２３において「ＹＥＳ」）、ポインタ表示管理部２２は、コンテンツ位置監視部２４に対して、コンテンツ１５の表示画像範囲における、表示領域９の表示範囲の位置を特定するように指示する。
【０１０９】
このポインタ表示管理部２２からの指示に応じて、コンテンツ位置監視部２４は、表示画像範囲における表示領域９での表示範囲の位置を特定する（Ｓ２４）。ポインタの表示領域９における表示位置が表示領域９の端部に達した状態で、さらに利用者からの操作指示を受け付けた場合、コンテンツ位置監視部２４は表示領域９の表示範囲は、コンテンツ１５の表示画像範囲における初期位置にあると特定する。そして、コンテンツ位置監視部２４は、利用者の操作指示により指示された表示内容の方向とともに、この特定した結果をスクロール量決定部２３に通知する。
【０１１０】
スクロール量決定部２３は、コンテンツ位置監視部２４から上記した通知を受信すると、コンテンツ位置監視部２４により特定された表示領域９の表示範囲の位置に応じて、スクロール量を決定する（Ｓ２５）。例えば、利用者からの操作指示によって示された方向が表示領域９におけるｘ軸を左から右に向かう方向であり、表示領域９の表示範囲が属する領域ではこのｘ軸に沿った方向に１０ピクセルずつスクロールさせるように設定されている場合、スクロール量を１０ピクセルと決定する。そして、この決定したスクロール量で表示内容がｘ軸に沿って移動するように表示ドライバ１３に指示して表示を行う。このようにして、通信端末１では、スクロール量決定部２３により決定されたスクロール量で表示内容をスクロールさせて表示する（Ｓ２６）。
【０１１１】
また、スクロール量決定部２３は、決定したスクロール量の情報をコンテンツ位置監視部２４に通知する。この通知によりコンテンツ位置監視部２４は、特定した表示領域９の表示位置がスクロール後にどの位置に移動するかを把握することができる。
【０１１２】
ここでさらに、利用者からの操作指示の入力を受け付けた場合（Ｓ２７において「ＹＥＳ」）、ステップＳ２４に戻って処理を繰り返す。つまり、ポインタ表示管理部２２からの指示に応じて、コンテンツ位置監視部２４は、表示画像範囲における表示領域９での表示範囲の位置を特定する。
【０１１３】
ここでは、表示領域９の表示範囲は、コンテンツ１５の表示画像範囲における初期位置から上記ステップＳ２５によって決定されたスクロール量により移動した位置にある。そこで、コンテンツ位置監視部２４は、表示領域９の表示範囲が、表示画像範囲における移動後の位置にあると特定する。そして、スクロール量決定部２３は、この特定した位置に割り当てられているスクロール量をコンテンツ１５に基づき決定する（Ｓ２５）。このようにスクロール量を決定すると、本実施の形態に係る通信端末１ではステップＳ２６以降の処理を実行し、スクロールを指示する操作指示の受け付けが無くなるまで上記したステップＳ２４からＳ２７の処理は繰り返される。
【０１１４】
なお、上記通信端末１では、表示領域上の基準となる基準点が、コンテンツ１５による表示画像範囲のどの領域に存在するのか、そのスクロール後の位置情報の履歴（表示範囲位置情報１８）を参照して判断する。そして、各領域において設定されたスクロール量で表示内容のスクロールを実行する構成であった。
【０１１５】
しかしながら、基準点の代わりにポインタの表示領域９における表示位置(座標）と、該表示位置が対応する表示画像範囲における位置（座標）との関係からスクロール量を決定する構成としてもよい。
【０１１６】
このように構成される場合、コンテンツ位置監視部２４は、ポインタ表示管理部２２から、表示領域９に表示したポインタの位置に関する情報を受信し、この位置が、表示画像範囲におけるいずれの位置にあるか表示範囲位置情報１８を参照して特定する。なお、このように構成される場合、図１２に示す初期位置は、コンテンツ１５の表示内容を移動させる前の、表示領域９における端部に位置したポインタの表示位置に対応する表示画像範囲上での座標となる。
【０１１７】
また、上記した「スクロール表示処理の処理フロー１・２」では、コンテンツ１５においてｘ軸およびｙ軸（横軸および縦軸）におけるスクロール量が記述される構成であった。このように記述されている際、静電パッド６４において、図１３に示すように利用者が表示領域９の対角線方向に指を移動させた場合、本実施の形態に係る通信端末１では、この斜め方向に表示内容を移動させるスクロール量は以下のように決定することができる。
なお、この図１３は、本発明の実施形態を示すものであり、スクロール表示処理の一例を説明する図である。
【０１１８】
すなわち、図１３に示すようにポインタが表示領域９の左隅に位置する状態で、表示領域９の中心位置からこの左隅に向かう方向（斜め方向）に静電パッド６４上で指を動かすとする。このときの表示内容のスクロール量は、コンテンツ１５において記述されたｘ軸およびｙ軸方向の一操作あたりのスクロール量を合成した量、例えば、図１３に示すようにｘ軸およびｙ軸方向の一操作あたりのスクロール量をそれぞれベクトルとして表した場合、これらベクトルを合成して得られたベクトルが斜め方向の操作を入力した際の表示内容のスクロール量として設定することができる。
【０１１９】
なお、本実施の形態に係る通信端末１では、静電パッド６４上に接触させた指の移動に応じて、表示内容のスクロールを行う構成であったが、この構成に限定されるものではなく例えば、利用者による、十字キーの操作に応じて表示内容がスクロールする構成であってもよい。
【０１２０】
また、本実施の形態に係る通信端末１が表示させるコンテンツ１５において、スクロール量がＸＭＬ形式で記述されていたが、スクロール量を記述する言語はこれに限定されるものではない。少なくとも、このスクロール量を記述する言語は、通信端末１が解釈できる言語であればよく、例えば、Ｊａｖａ（登録商標）  Ｓｃｒｉｐｔのようなスクリプト言語で記述してもよい。
【０１２１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２２】
最後に、通信端末１が備える各ブロック、特に操作指示受付部２１、ポインタ表示管理部２２、スクロール量決定部２３、およびコンテンツ位置監視部２４は、ハードウェアロジックによって構成してもよいし、次のようにＣＰＵを用いてソフトウェアによって実現してもよい。
【０１２３】
すなわち、通信端末１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである通信端末１の制御プログラムのプログラムコード（実行形式プログラム、中間コードプログラム、ソースプログラム）をコンピュータで読み取り可能に記録した記録媒体を、上記通信端末１に供給し、そのコンピュータ（またはＣＰＵやＭＰＵ）が記録媒体に記録されているプログラムコードを読み出し実行することによっても、達成可能である。
【０１２４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２５】
また、通信端末１を通信ネットワークと接続可能にし、上記プログラムコードを、この通信ネットワークを介して外部から供給を受ける構成としてもよい。このような通信ネットワークとしては、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２６】
本実施の形態に係る通信端末１では、表示させるコンテンツ１５に予め記述されたスクロール量に従って表示内容を移動させることができる構成である。このため、表示領域９における表示範囲に表示内容が収まらない場合において、コンテンツ１５の製作者が意図するスクロール量により表示内容を適切に移動させ表示させることができる。
【図面の簡単な説明】
【０１２７】
【図１】本発明の実施形態を示すものであり、スクロール表示処理に関する通信端末のソフトウェア構成を示すブロック図である。
【図２】本発明の実施形態を示すものであり、通信端末の外観の一例を示す図である。
【図３】本発明の実施形態を示すものであり、通信端末の要部構成を示すブロック図である。
【図４】本発明の実施形態を示すものであり、スクロール表示処理の一例を説明する図である。
【図５】本実施の形態に係る通信端末が利用するコンテンツに記述されたスクロール量の一例を示す図である。
【図６】本実施の形態に係る通信端末の表示部にて表示する表示内容のスクロール前および後の表示の一例を示すものであり、表示内容の移動が小さくなる場合と、その移動よりも大きくなる場合とのそれぞれの表示例を示す。
【図７】本発明の実施形態を示すものであり、通信端末によるスクロール表示処理の処理フローを示すフローチャートである。
【図８】本実施の形態に係る通信端末が利用するコンテンツにおいて、表示画像範囲における所定範囲ごとにスクロール量が規定されている場合における、スクロール量の記述例を示す図である。
【図９】表示画像範囲における所定位置ごとに、異なるスクロール量が規定されている場合における、スクロール処理に関する、通信端末のソフトウェア構成を示す図である。
【図１０】本実施の形態に係る通信端末が利用するコンテンツの、表示画像範囲における表示領域の表示範囲のｘ軸方向への移動状態の一例を示す図である。
【図１１】発明の別の実施形態を示すものであり、通信端末によるスクロール表示処理の処理フローの一例を示すフローチャートである。
【図１２】本実施の形態に係る通信端末が記録する表示範囲位置情報の一例を示すものである。
【図１３】本発明の実施形態を示すものであり、スクロール表示処理の一例を説明する図である。
【符号の説明】
【０１２８】
１  通信端末（表示装置）
２  操作本体部
３  表示部
４  ヒンジ部
５  通信用アンテナ
６  操作部（入力部）
９  表示領域
１３  表示ドライバ（カーソル表示手段）
１４  コンテンツ記憶装置
１５  コンテンツ（コンテンツデータ）
１６  主制御部
１７  表示範囲記憶装置
１８  表示範囲位置情報
２１  操作指示受付部
２２  ポインタ表示管理部（カーソル表示手段）
２３  スクロール量決定部（スクロール量決定手段）
２４  コンテンツ位置監視部（特定手段）
６４  静電パッド（入力部）
【図１】
2008242096.tif 000003
【図２】
2008242096.tif 000004
【図３】
2008242096.tif 000005
【図４】
2008242096.tif 000006
【図５】
2008242096.tif 000007
【図６】
2008242096.tif 000008
【図７】
2008242096.tif 000009
【図８】
2008242096.tif 000010
【図９】
2008242096.tif 000011
【図１０】
2008242096.tif 000012
【図１１】
2008242096.tif 000013
【図１２】
2008242096.tif 000014
【図１３】
2008242096.tif 000015